(57)【特許請求の範囲】
【請求項１】
枠体（１）内にバーナ（２）と、バーナ（２）に燃料を供給する燃料ポンプ（３）と、燃焼空気を供給する燃焼用送風機（４）とを設け、
室内温度を検出する室内温度検出手段（５）と、室内温度を設定する室内温度設定手段（６）と、運転スイッチ（７）の信号に基づいて前記燃料ポンプ（３）と前記燃焼用送風機（４）とを制御して前記バーナ（２）の運転の制御と、燃焼量の調整を行なう燃焼制御手段（８）とを備え、
前記燃焼制御手段（８）は前記室内温度検出手段（５）と前記室内温度設定手段（６）からの信号を用いて前記バーナ（２）の燃焼量を可変する暖房機において、
湿度を検出する湿度検出手段（９）と、前記湿度検出手段（９）からの信号に基づいて設定温度を決定する設定温度決定手段（１１）とを設け、
前記室内温度設定手段（６）によって設定された設定温度に基づいて運転する通常運転モードと、前記設定温度決定手段（１１）が決定する設定温度に基づいて運転するおまかせ運転モードとを選択できる運転選択手段（１０）を備え、
前記運転選択手段（１０）によって前記おまかせ運転モードが選択されると、前記湿度検出手段（９）で検出された湿度に基づいて前記設定温度決定手段（１１）が設定温度を決定し、
前記燃焼制御手段（８）は前記室内温度検出手段（５）で検出された室内温度と前記設定温度決定手段（１１）で決定された設定温度を用いて前記バーナ（２）の燃焼量を可変すると共に、
前記設定温度決定手段（１１）が設定温度を決定したときにカウントを開始して予め設定された所定時間カウントするタイマ手段（１２）を備え、前記設定温度決定手段（１１）は前記タイマ手段（１２）が所定時間カウントすると前記湿度検出手段（９）で検出された湿度に基づいて設定温度を決定し、所定時間毎に設定温度が更新されることを特徴とする暖房機の制御装置。
【請求項２】
前記設定温度決定手段（１１）には複数の設定温度パターンを備え、複数の設定温度パターンのうちの一つを選択する温度パターン選択手段（１３）を備えることを特徴とする請求項１に記載の暖房機の制御装置。
【請求項３】
前記設定温度決定手段（１１）の設定温度を基準とする快適温度レベルを設定し、前記室内温度検出手段（５）の検出温度に対応する快適温度レベルを表示する表示手段（１４）を設けたことを特徴とする請求項１または２に記載の暖房機の制御装置。
【請求項４】
予め定められた一定時間毎に作動する温度データ比較手段（１５）を備え、
前記室内温度検出手段（５）で検出された室内温度データと前回の室内温度データとの差が、予め定めた温度差以上のときに前記タイマ手段（１２）のカウント時間を短くするように設定されていることを特徴とする請求項１に記載の暖房機の制御装置。
【請求項５】
予め定められた一定時間毎に作動する湿度データ比較手段（１６）を備え、
前記湿度検出手段（９）で検出された湿度データと前回の湿度データとの差が、予め定めた湿度差以上のときに前記タイマ手段（１２）のカウント時間を短くするように設定されていることを特徴とする請求項１に記載の暖房機の制御装置。
【発明の詳細な説明】
【技術分野】
【０００１】
この発明は、室内温度制御に最適な暖房機の燃焼量調節方法に関する。
【背景技術】
【０００２】
暖房機には熱源であるバーナとその燃焼制御手段を備え、室内温度検出手段と、期待する室内温度を設定する室内温度設定手段とを備え、燃焼制御手段は室内温度検出手段で検出された室内温度が、予め室内温度設定手段で設定された設定温度に維持されるようにバーナの燃焼量を調節するものである。（特許文献１参照）
【先行技術文献】
【特許文献】
【０００３】
【特許文献１】特開平１０−７３２４５号公報
【発明の概要】
【発明が解決しようとする課題】
【０００４】
燃焼制御手段は室内温度が設定温度付近で安定するようにバーナの燃焼量を制御しているが、同じ室内温度でも室内の湿度が変化すると、体感温度は変化するものであり、湿度が高いときは暖かく感じ、湿度が低いときは涼しく感じるものである。
【０００５】
このため、バーナの燃焼量を室内温度だけで制御するときは、室内温度が設定温度を維持していても暑く感じたり、逆に寒く感じたりすることがあり、快適な室内空間を作ることができないことがあった。また、暑く感じるときは必要以上に暖房が行われていることとなり、燃料の無駄な消費につながるものであった。
【０００６】
この発明では、室内の使用環境の変化に対応して、使用者にとって最適な室内温度となるように制御して無駄のない暖房を行なうことにより、快適な室内空間を作り出して無駄のない暖房を行なうことのできる、省エネルギー性能に優れた暖房機を実現するものである。
【課題を解決するための手段】
【０００７】
枠体１内にバーナ２と、バーナ２に燃料を供給する燃料ポンプ３と、燃焼空気を供給する燃焼用送風機４とを設け、室内温度を検出する室内温度検出手段５と、室内温度を設定する室内温度設定手段６と、運転スイッチ７の信号に基づいて前記燃料ポンプ３と前記燃焼用送風機４とを制御して前記バーナ２の運転の制御と、燃焼量の調整を行なう燃焼制御手段８とを備え、前記燃焼制御手段８は前記室内温度検出手段５と前記室内温度設定手段６からの信号を用いて前記バーナ２の燃焼量を可変する暖房機において、湿度を検出する湿度検出手段９と、前記湿度検出手段９からの信号に基づいて設定温度を決定する設定温度決定手段１１とを設け、前記室内温度設定手段６によって設定された設定温度に基づいて運転する通常運転モードと、前記設定温度決定手段１１が決定する設定温度に基づいて運転するおまかせ運転モードとを選択できる運転選択手段１０を備え、前記運転選択手段１０によって前記おまかせ運転モードが選択されると、前記湿度検出手段９で検出された湿度に基づいて前記設定温度決定手段１１が設定温度を決定し、前記燃焼制御手段８は前記室内温度検出手段５で検出された室内温度と前記設定温度決定手段１１で決定された設定温度を用いて前記バーナ２の燃焼量を可変すると共に、前記設定温度決定手段１１が設定温度を決定したときにカウントを開始して予め設定された所定時間カウントするタイマ手段１２を備え、前記設定温度決定手段１１は前記タイマ手段１２が所定時間カウントすると前記湿度検出手段９で検出された湿度に基づいて設定温度を決定し、所定時間毎に設定温度が更新されることを特徴とする。
【０００８】
このように、所定時間毎に設定温度が更新されることにより、暖房による湿度の変化に対応して最適な室内温度を得ることができるものである。
【０００９】
また、前記設定温度決定手段１１には複数の設定温度パターンを備え、複数の設定温度パターンのうちの一つを選択する温度パターン選択手段１３を備えることにより、最適な設定温度パターンを選択することができる。
【００１０】
また、前記温度決定手段１１の設定温度を基準とする快適温度レベルを設定し、前記室内温度検出手段５の検出温度に対応する快適温度レベルを表示する表示手段１４を設けたことにより、現在の室内温度に対する快適温度レベルを確認することができる。
【００１１】
また、予め定められた一定時間毎に作動する温度データ比較手段１５を備え、前記室内温度検出手段５で検出された室内温度データと前回の室内温度データとの差が、予め定めた温度差以上のときに前記タイマ手段１２のカウント時間を短くするように設定されていることにより、室内温度が急に変化するときは、設定温度を更新する間隔を短くすることで検出精度を高めるものである。
【００１２】
また、予め定められた一定時間毎に作動する湿度データ比較手段１６を備え、前記湿度検出手段９で検出された湿度データと前回の湿度データとの差が、予め定めた湿度差以上のときに前記タイマ手段１２のカウント時間を短くするように設定されていることにより、室内湿度が急に変化するときは、設定温度を更新する間隔を短くすることで検出精度を高めるものである。
【発明の効果】
【００１３】
暖房機の運転スイッチ７を操作してバーナ２の運転を開始すると、燃焼制御手段８が室内温度検出手段５と室内温度設定手段６との信号に基づいて燃料ポンプ３と燃焼用送風機４を制御して、室内温度が設定温度を維持するように燃焼量の調整を行なう。運転選択手段１０によって湿度検出手段９と設定温度決定手段１１が作動すると、設定温度決定手段１１は湿度検出手段９で検出された湿度に基づいて設定温度を決定し、燃焼制御手段８が決定された設定温度を維持するようにバーナ２の燃焼量を制御するものであり、湿度に応じて設定温度がセットされるので、現在の湿度に適した室内温度を維持することができ、使用者が設定温度を特別意識しなくても、快適な室内空間を作り出すことができ、無駄のない暖房を行なうことができるものとなった。
【００１４】
また、設定温度決定手段１１によって決定された設定温度のまま運転を行なうのではなく、前回設定温度が設定されてから所定時間が経過したときに湿度検出手段９の信号を入力し、湿度が変化しているときは設定温度を変更し、変更された設定温度と室内温度に基づいてバーナ２の燃焼量を制御するものである。このため、急速な室内温度の変化や加湿器の併用などによって湿度が変化するときには、湿度の変化に対応して早い段階で設定温度を変更しながらバーナ２の燃焼量を制御することで、室内温度が設定温度と一致したときに、湿度に対して最適な室内温度を得ることができるものである。
【００１５】
また、人によって快適に感じる温度が異なるため、室内温度が設定温度を維持していても暑く感じたり寒く感じたりすることがある。設定温度決定手段１１には予め複数の設定温度パターンを備え、温度パターン選択手段１３によって複数の設定温度パターンのうちから最適な設定温度パターンを選択可能にしたので、使用者の好みの室内温度を得ることができ、快適な室内空間を作り出すことができるものである。
【００１６】
また、室内温度検出手段５で検出された室内温度と設定温度決定手段１１の設定温度に基づいて現在の快適温度レベルを算出し、快適温度レベルを表示する表示手段１４を備えたから、現在の快適温度レベルを確認することができるものとなった。そして、設定温度決定手段１１の設定温度パターンを変更するときに、快適温度レベルを確認することで、使用者の好みに適した設定温度パターンを容易に選択することができるものとなった。
【００１７】
また、予め定められた一定時間毎に作動する温度データ比較手段１５を備え、室内温度検出手段５で検出される室内温度データを前回の温度データと比較し、その温度差が予め定めた温度差以上のときはタイマ手段１２のカウント時間を短く設定するものである。暖房を開始して室内温度が設定温度に一致するまでは、バーナ２の燃焼量が大きく室内温度が急に上昇するため、湿度も変動しやすくなるが、設定温度を更新する間隔を短くすることで検出精度を高めることができ、湿度の変化に対応して設定温度の変更が追従でき、常に最適な設定温度がセットできるので、快適な室内環境を作ることができる。
【００１８】
また、予め定められた一定時間毎に作動する湿度データ比較手段１６を備え、湿度検出手段９で検出される湿度データを前回の湿度データと比較し、その湿度差が予め定めた湿度差以上のときはタイマ手段１２のカウント時間を短く設定するものである。暖房を開始して室内温度が設定温度に一致するとバーナ２の燃焼量が減少し、室内温度が設定温度付近で安定するが、加湿器などの使用によって湿度だけが変化したときも、設定温度を更新する間隔を短くすることで検出精度を高め、湿度の変化に対応して設定温度の変更が追従でき、常に最適な設定温度がセットできるので、快適な室内環境を作ることができる。
【図面の簡単な説明】
【００１９】
【図１】この発明の実施例の暖房機の構成を示すブロック図である。
【図２】この発明の実施例を示す暖房機の断面図である。
【図３】この発明の実施例を示す暖房機の正面図である。
【図４】この発明の実施例の温度と湿度の関係を示すグラフである。
【図５】この発明の他の実施例の温度と湿度の関係を示すグラフである。
【発明を実施するための形態】
【００２０】
図に示す実施例によってこの発明を説明すると、１は暖房機の枠体、２は枠体１内に取り付けたバーナ、１７は燃焼用空気が送られる風胴、１８は風胴１７内に設置された有底筒形のポット、１８ａは風胴１７から燃焼用空気が供給できるようにポット１８の側壁に設けた多数の小径空気孔であり、前記バーナ２の本体は風胴１７とポット１８とによって構成される。４はポット１８へ燃焼空気を供給する燃焼用送風機であり、燃焼用送風機４によって圧送された燃焼用空気は風胴１７に送られ、小径空気孔１８ａの位置と大きさによって適切に制御されてポット１８内に供給される。
【００２１】
１９はポット１８に供給する燃料が送られる油受皿、３は油受皿１９の上面に取り付けた燃料ポンプ、２０は燃料ポンプ３とポット１８との間に設けた燃料パイプ、２１は燃料パイプ２０のポット１８内に伸ばした先端で構成する送油ノズルであり、風胴１７とポット１８の側壁とを貫通するようにポット１８内に伸ばした送油ノズル２１から燃料がポット１８の底面に供給される。
【００２２】
２２はポット１８の側壁からポット１８の底面と間隔を介して取り付けた予熱兼用の点火ヒータ、２３はポット１８内に設置された助燃部材、２４はポット１８の上方に配置された燃焼室であり、ポット１８内に供給された燃料は、点火ヒータ２２や燃焼熱で高温となっているポット１８の底面で気化し、初期燃焼を開始しながら小径空気孔１８ａから供給される燃焼用空気の流れと助燃部材２３の働きで混合し、燃焼室２４内で完全燃焼するものである。
【００２３】
２５は枠体１を前後に貫通して燃焼室２４を取り囲むように配置された送風経路、２６は送風経路２５の後方に設置された対流用送風機、２７は送風経路２５の前方に設置された吹出口であり、燃焼室２４は送風経路２５内に開口し、燃焼室２４で完全燃焼した燃焼ガスは送風経路２５に送られ、対流用送風機２６によって取り込まれた室内空気と燃焼ガスとが送風経路２５内で混合され、吹出口２７より温風となって吹出されるものである。
【００２４】
また、２８は枠体１の表面に設置された操作表示板、７は操作表示板２８に設けられた運転スイッチ、８は枠体１内に設置されたマイクロコンピュータを内装した燃焼制御手段であり、運転スイッチ７の入／切信号は燃焼制御手段８に送られ、燃焼制御手段８は運転スイッチ７の信号に基づいて燃料ポンプ３、燃焼用送風機４、点火ヒータ２２、対流用送風機２６の運転／停止を指示し、暖房機の運転を制御している。
【００２５】
５は枠体１の背面に設置された温度センサで構成する室内温度検出手段、６は操作表示板２８に設けたスイッチで操作されて使用者が所望する温度を記憶する温度設定手段であり、温度設定手段６で設定されて記憶されている温度データと、室内温度検出手段５で検出された現在の室内の温度データを燃焼制御手段８にて比較し、設定温度の方が室内温度よりも高い場合には、燃料ポンプ３の流量及び燃焼用送風機４の回転数を増加することによってバーナ２の燃焼量を増加させ、室内温度の方が設定温度よりも高い場合には、燃料ポンプ３の流量及び燃焼用送風機４の回転数を減少することによってバーナ２の燃焼量を減少させており、室内温度の数値を設定温度の数値に近づけるように制御を行なうものである。
【００２６】
燃焼制御手段８は室内温度が温度設定手段６で設定された設定温度にできるだけ近い温度で安定するようにバーナ２の燃焼量を制御しているが、同じ室内温度でも湿度が高いときの方が暖かく感じる。このため、室温だけでバーナ２の燃焼量を制御すると、室内温度が設定温度を維持していても、湿度が高いときは暖かくなりすぎてしまい、逆に湿度が低いときには暖かくなくなり、快適な室内温度を得られないことがある。この発明では、室内の湿度に応じて最適な設定温度を選択して運転するおまかせ運転モードを備え、快適な室内空間を作ることができる温度制御方法を提案するものである。
【００２７】
９は枠体１の背面に設置された湿度センサで構成する湿度検出手段、１０は操作表示板２８に設けられたスイッチで操作させる運転選択手段、１１は運転選択手段１０の信号によって作動する設定温度決定手段であり、運転スイッチ７の信号により暖房機の運転を開始し、暖房機の運転中に運転選択手段１０を操作することによって通常の運転モードとおまかせ運転モードを選択することができる。
【００２８】
おまかせ運転モードを選択すると、湿度検出手段９で検出された湿度Ｄｓが設定温度決定手段１１に送られ、設定温度決定手段１１は湿度検出手段９の湿度Ｄｓに基づいて設定温度ＳＴｎを決定し、燃焼制御手段８は温度設定手段６で設定されて記憶されている設定温度データに代えて、設定温度決定手段１１の設定温度ＳＴｎを使用する。
【００２９】
設定温度決定手段１１の設定温度ＳＴは快適指数（ＰＭＶ値）に基づいて算出しており、温度と湿度以外の条件は固定データを用いる。設定温度決定手段１１は湿度に応じて予め設定された複数個の設定温度ＳＴｎを備えている。図４の実施例では設定温度ＳＴｎを変更するポイントとなる湿度をＤ１〜Ｄ４と定め、湿度検出手段９で検出される湿度Ｄｓが、Ｄ１より低い範囲のときに設定温度ＳＴ１、Ｄ１〜Ｄ２の範囲のときに設定温度ＳＴ２、Ｄ２〜Ｄ３の範囲ときに設定温度ＳＴ３、Ｄ３〜Ｄ４の範囲ときに設定温度ＳＴ４、Ｄ４より高い範囲のときに設定温度ＳＴ５と設定されている。
なお、湿度と設定温度との関係については、湿度をＤ１・Ｄ２・Ｄ３・・・とし、この湿度に対応する設定温度ＳＴ１・ＳＴ２・ＳＴ３・・・を定め、湿度Ｄｎのときに設定温度ＳＴｎとなるように設定してもよい。
【００３０】
湿度検出手段９で検出された湿度Ｄｓに基づいて設定温度決定手段１１によって設定温度ＳＴｎが決定すると、設定温度決定手段１１の設定温度ＳＴｎと、室内温度検出手段５で検出された現在の室内温度ＲＴを燃焼制御手段８にて比較し、設定温度ＳＴｎの方が室内温度ＲＴよりも高い場合には、燃料ポンプ３の流量及び燃焼用送風機４の回転数を増加することによってバーナ２の燃焼量を増加させ、室内温度ＲＴの方が設定温度ＳＴｎよりも高い場合には、燃料ポンプ３の流量及び燃焼用送風機４の回転数を減少することによってバーナ２の燃焼量を減少させており、室内温度ＲＴの数値を設定温度ＳＴｎの数値に近づけるように制御を行なうものである。
【００３１】
このように、運転選択手段１０でおまかせ運転モードが選択されると、室内の湿度Ｄｓが高いときは設定温度ＳＴｎを低くし、室内の湿度Ｄｓが低いときは設定温度ＳＴｎを高くするものであり、現在の室内の湿度Ｄｓに最適な設定温度ＳＴｎに設定されるから、快適な室内空間を作り出すことができるものとなった。また、室内を暖めすぎることがなくなり、快適性を維持しながら無駄な燃料消費を抑えることができるものとなった。
【００３２】
また、この発明の実施例において、１２は予め定められた所定時間ｔをカウントするタイマ手段であり、運転選択手段１０によっておまかせ運転モードが開始され、湿度検出手段９の検出湿度Ｄｓに基づいて設定温度決定手段１１が設定温度ＳＴｎを決定すると、タイマ手段１２がカウントを開始する。
【００３３】
燃焼制御手段８は設定温度決定手段１１で設定された設定温度ＳＴｎと室内温度検出手段５で検出された現在の室内温度ＲＴに基づいてバーナ２の燃焼制御を行なっており、タイマ手段１２が所定時間ｔをカウントすると、湿度検出手段９の検出湿度Ｄｓが設定温度決定手段１１に送られ、設定温度決定手段１１は湿度Ｄｓに基づいて設定温度ＳＴｎを決定し、燃焼制御手段８は設定温度決定手段１１で決定した新たな設定温度ＳＴｎに基づいてバーナ２の燃焼制御を行なうものである。
【００３４】
上記構成では所定時間ｔが経過する毎に設定温度ＳＴｎが更新されるものであり、所定時間ｔ後の湿度Ｄｓの湿度範囲に変更がないときは前回の設定温度ＳＴｎを維持し、所定時間ｔ後の湿度Ｄｓが上昇して、高い湿度範囲に一致しているときは低い設定温度ＳＴｎに変更し、逆に湿度Ｄｓが低下して低い湿度範囲に一致しているときは高い設定温度ＳＴｎに変更するものである。
【００３５】
暖房機の運転を開始すると、室内温度ＲＴが設定温度ＳＴｎに一致するまではバーナの燃焼量が大きいため、バーナ２の燃焼によって発生する燃焼ガスに含まれる水分が室内に拡散するため湿度Ｄｓが上昇するが、室内温度ＲＴが急速に上昇するため室内の湿度Ｄｓは相対的に下がる。このため、室内温度ＲＴが設定温度ＳＴｎに上昇するまでの間は、室内の湿度Ｄｓが安定せず、大きく変化しやすいものである。
【００３６】
この発明は、室内温度ＲＴが室内温度ＳＴｎに上昇するまでの間において、設定温度ＳＴｎが設定されてから所定時間ｔが経過したときの湿度Ｄｓが、前回の湿度範囲より高いときは、設定温度ＳＴｎを低く変更する構成としたから、湿度Ｄｓに対し室内温度ＲＴが高くなりすぎることはない。また、設定温度ＳＴｎが設定されてから所定時間ｔが経過したときの湿度Ｄｓが、前回の湿度範囲よりも低いときは、設定温度ＳＴｎを高く変更する構成としたから、湿度Ｄｓに対し室内温度ＲＴが低くなりすぎることはなく、湿度に対して最適な室内温度ＲＴを得ることができるものとなり、快適な室内環境を作り出すと共に無駄な燃料消費を抑えることができるものとなった。
【００３７】
また、設定温度決定手段１１の設定温度は快適指数に基づいて設定しているが、快適に感じる温度には個人差があるため、設定温度決定手段１１に複数個の設定温度パターンＰを備え、使用者が自分に適した設定温度パターンＰを選択可能とすることで、快適な室内空間を作ることができる。実施例では、設定温度ＳＴ１０〜ＳＴ５０を初期の設定温度パターンＰ０とし、初期の設定温度パターンＰ０の設定温度ＳＴ１０〜ＳＴ５０に補正温度Ｔｈ１を加えた設定温度ＳＴ１１〜ＳＴ５１を設定温度パターンＰ１、初期の設定温度パターンＰ０の設定温度ＳＴ１０〜ＳＴ５０に補正温度Ｔｈ２を加えた設定温度ＳＴ１２〜ＳＴ５２を設定温度パターンＰ２としている。一方、初期の設定温度パターンＰ０の設定温度ＳＴ１０〜ＳＴ５０から補正温度Ｔｈ１を引いた設定温度−ＳＴ１１〜−ＳＴ５１を設定温度パターン−Ｐ１、初期の設定温度パターンＰ０の設定温度ＳＴ１０〜ＳＴ５０から補正温度Ｔｈ２を引いた設定温度−ＳＴ１２〜−ＳＴ５２を設定温度パターン−Ｐ２としている。
【００３８】
１３は操作表示板２８に配置したスイッチで構成される設定温度パターンＰを選択する温度パターン選択手段であり、温度パターン選択手段１３は専用のスイッチを備えるか、運転選択手段１０によりおまかせ運転モードを選択したときに室内温度設定手段６のスイッチが温度パターン選択手段１３に切替わる構成としてもよい。運転選択手段１０の操作によりおまかせ運転モードを選択したときは、初期の設定温度パターンＰ０であり、おまかせ運転モード中に温度パターン選択手段１３を操作することによって温度パターンＰ０から他の温度パターンに変更できるようになっている。
【００３９】
即ち、初期の設定温度パターンＰ０の設定温度ＳＴ１０〜ＳＴ５０では、暑く感じる場合は、例えば設定温度パターンＰ０から設定温度パターン−Ｐ１に変更することで、設定温度ＳＴｎが温度Ｔｈ１だけ低くなる。一方、寒く感じる場合は、設定温度パターンＰ０からＰ１に変更することで、設定温度ＳＴｎが温度Ｔｈ１だけ高くなる。このため、使用者の好みの温度になるよう設定温度パターンＰを選択することで、使用者本人にとって最適な室内温度となり、快適な室内空間を作り出すことができる。
【００４０】
また、２９は設定温度決定手段１１でセットされた設定温度ＳＴｎと室内温度検出手段５で検出された室内温度ＲＴに基づいて現在の快適温度レベルを算出する演算手段であり、実施例では室内温度ＲＴと設定温度ＳＴとの温度差に応じて快適温度レベルを５段階に設定しており、最も快適度が高い状態をレベル５、最も快適度が低い状態をレベル１としている。
【００４１】
１４は操作表示板２８に設置されたランプや液晶表示による表示手段であり、おまかせ運転モード中は、室内温度検出手段５で検出された室内温度ＲＴと、湿度検出手段９で検出された湿度Ｄｓと、快適温度レベルＣを表示しており、使用者は現在の室内温度ＲＴと湿度Ｄｓ及び、その室内温度ＲＴと湿度Ｄｓに対する現在の快適温度レベルＣを確認することができる。そして、温度パターン選択手段１３によって設定温度パターンＰを変更するときは、表示手段１４に表示された快適温度レベルＣを参考にすることで、使用者は最適な設定温度パターンＰを選択しやすくなるものである。
【００４２】
また、タイマ手段１２の設定時間は固定した時間ではなく、可変時間としてもよい。この発明の他の実施例では、タイマ手段１２には長短２つのカウント時間ｔ１、ｔ２を備えた構成としている。
【００４３】
１５は予め定めた一定時間ｔｓ毎に作動して室内温度検出手段５で検出される室内温度ＲＴを入力する温度データ比較手段であり、おまかせ運転モードで運転すると、湿度検出手段９で検出された湿度Ｄｓに基づいて設定温度決定手段１１が設定温度ＳＴｎを決定し、燃焼制御手段８は設定温度ＳＴｎに基づいてバーナ２の燃焼量を制御する。温度データ比較手段１５は室内温度検出手段５で検出された室内温度ＲＴを記憶し、一定時間ｔｓが経過すると室内温度検出手段５で検出された室内温度ＲＴを入力し、前回記憶された温度データと今回の温度データから温度差データを算出する。
【００４４】
暖房を開始してから室内温度ＲＴが設定温度ＳＴｎに一致するまでの間は、バーナ２の燃焼量が大きく室内温度ＲＴの上昇速度が速いため、温度データ比較手段１５で算出された温度差データが予め定めた温度差Ｔｘよりも大きくなるから、タイマ手段１２には短い所定時間ｔ２が設定され、設定温度決定手段１１は短い所定時間ｔ２が経過すると湿度検出手段９の湿度Ｄｓに基づいて設定温度ＳＴｎを更新する。室内温度ＲＴの上昇速度が速いときは湿度Ｄｓも大きく変化することがあるが、設定温度ＳＴｎを更新する間隔を短くすることで検出精度を高めることができ、湿度Ｄｓの変化に対して設定温度ＳＴｎの変更が追従でき、湿度Ｄｓに対して最適な室内温度ＲＴを得ることができる。
【００４５】
一方、室内温度ＲＴが設定温度ＳＴｎに一致してバーナ２の燃焼量が減少すると、室内温度ＲＴの上昇速度が緩やかになり、室内温度ＲＴが設定温度ＳＴｎ付近で安定するため、温度差データが予め定めた温度差Ｔｘよりも小さくなるから、タイマ手段１２には長い所定時間ｔ１が設定される。室内温度ＲＴが設定温度ＳＴｎ付近で安定した後は湿度Ｄｓも安定して大きく変化することはないから、設定温度決定手段１１が設定温度ＳＴｎを更新する間隔を長くしても、湿度Ｄｓに対して最適な室内温度ＲＴを得ることができる。
【００４６】
また、室内温度ＲＴが安定した後において、湿度Ｄｓが設定温度ＳＴｎの変更ポイント付近にあるときは、変更ポイントをまたいで湿度Ｄｓが増減する可能性があるが、変更ポイントを越えても設定温度の変更タイミングとなる所定時間ｔが経過するまでは設定温度ＳＴｎを維持するから、設定温度ＳＴｎを更新する間隔を長く変更することで、バーナ２の燃焼量や快適温度レベルが頻繁に変更されることを防ぐことができ、室内温度ＲＴを安定させることができる。
【００４７】
更に、この発明の他の実施例として、１６は予め定めた一定時間ｔｓ毎に作動して湿度検出手段９で検出される湿度Ｄｓを入力する湿度データ比較手段であり、湿度データ比較手段１６は湿度検出手段９で検出された湿度Ｄｓを記憶し、一定時間ｔｓ後に湿度検出手段９で検出された湿度Ｄｓを入力し、前回記憶された湿度データと今回の湿度データから湿度差データを算出する。湿度差データが予め定めた湿度差Ｄｘ以下のときはタイマ手段１２に長い所定時間ｔ１が設定され、湿度差データが予め定めた湿度差Ｄｘ以上のときはタイマ手段１２に短い所定時間ｔ２が設定される。
【００４８】
室内温度ＲＴが設定温度ＳＴｎに一致して室内温度ＲＴが安定した後は、タイマ手段１２には長い所定時間ｔ１が設定されるが、室内温度ＲＴが安定しているときに加湿器を使用すると、室内温度ＲＴは変化しないが、加湿空気によって湿度Ｄｓが上昇するため、快適温度レベルが低下する可能性がある。加湿器を使用すると湿度Ｄｓの上昇速度が速くなるため、湿度差データが予め定めた湿度差Ｄｘ以上になると、タイマ手段１２に短い所定時間ｔ２が設定される構成であり、設定温度ＳＴｎを更新する間隔を短くすることで湿度Ｄｓの変化に対応して設定温度ＳＴｎの変更が追従できるので、湿度Ｄｓに対して快適な室内温度ＲＴを得ることができる。
【符号の説明】
【００４９】
１    枠体
２    バーナ
３    ポンプ
４    燃焼用送風機
５    室内温度検出手段
６    室内温度設定手段
７    運転スイッチ
８    燃焼制御手段
９    湿度検出手段
１０    運転選択手段
１１    設定温度決定手段
１２    タイマ手段
１３    温度パターン選択手段
１４    表示手段
１５    温度差データ比較手段
１６    湿度差データ比較手段
【図１】
0006497000.tif 000002
【図２】
0006497000.tif 000003
【図３】
0006497000.tif 000004
【図４】
0006497000.tif 000005
【図５】
0006497000.tif 000006